(57)【要約】【課題】フック等の有無に関わらず、様々な物を容易に係止可能とした背負い鞄の肩ベルトを提供すること。【解決手段】表地３と表地３の裏面に貼り合わせた裏地４と前記表地３と裏地４間の任意の箇所に挿装したスポンジ等のクッション材５とを具備するベルト本体２と、ベルト本体２の上端に装着した連結具１０と、を有する背負い鞄の肩ベルトにおいて、ベース８とベース８に突設した突起部９とを有する係止部材７を、ベース８を表地３とクッション材５間に挿装しつつ突起部９で表地３に形成した貫通孔３０４を貫通する形態でベルト本体２に装着し、更に、挿通孔１００１、１１０１を有する吊り下げ具１０、１１を、突起部９を挿通孔１００１に挿通することで係止部材７に係止し、吊り下げ具１０、１１を交換することで容易に肩ベルトに様々な物を係止可能にした。【選択図】図１
0003125119.tif 000002
【実用新案登録請求の範囲】
【請求項１】
表地（３）と、該表地（３）の裏面に貼り合わせた裏地（４）と、前記表地（３）と裏地（４）間の任意の箇所に挿装したスポンジ等のクッション材（５）と、を具備するベルト本体（２）と、該ベルト本体（２）の上端に装着した連結具（１０）と、を有する背負い鞄の肩ベルトにおいて、
ベース（８）と該ベース（８）に突設した突起部（９）とを有する係止部材（７）を、前記ベース（８）を前記表地（３）とクッション材（５）間に挿装しつつ前記突起部（９）で前記表地（３）に形成した貫通孔（３０４）を貫通する形態で前記ベルト本体（２）に装着した、ことを特徴とする背負い鞄の肩ベルト。
【請求項２】
前記突起部（９）が挿通可能な挿通孔（１００１、１１０１）を有する吊り下げ具（１０、１１）を、前記挿通孔（１００１、１１０１）に前記突起部（９）を挿通することにより、前記係止部材（７）に係止したことを特徴とする請求項１に記載の背負い鞄の肩ベルト。
【考案の詳細な説明】
【技術分野】
【０００１】
本考案は、背負い鞄の肩ベルトに係り、より詳しくは、突起部を有する係止部材を備えることで様々なものを容易に係止可能とした背負い鞄の肩ベルトに関する。
【背景技術】
【０００２】
近年の防犯意識の高まりにより、防犯ブザー等を携行することが奨励されており、特に小学生等においては、防犯ブザーを支給するとともに、通学途中での防犯ブザーの携行が義務付けられることが多くなっている。
【０００３】
しかしながら、防犯ブザーを首から吊るした場合には取り外しが面倒であるとともに、場合によっては紐が首に巻き付いてしまい危険が伴う。そのために、従来においては、このような防犯ブザーを取り付けるための手段を備えたランドセル等が提案されており、これらは、防犯ブザー等を収容可能としたポシェットや小袋等の収容体をランドセルの本体やベルトに装着する方法を採用している。
【０００４】
しかし、収容体を用いた場合には、収容体への収容や収容体からの取り出しが面倒であり、また、収容体を製造するためのコストも必要となってしまい、更に、収容体に収容可能な形状寸法とした防犯ブザーのみしか収容できないという問題点がある。
【０００５】
また、一般的に、キーホルダーや小さいマスコット等をランドセル等に吊り下げることが行われており、例えばこれらをランドセル等のなす環等に吊り下げることが行われるが、なす環は本来、給食袋や上履き入れ等を吊り下げるべきものであるために、このなす環にキーホルダーやマスコットを吊り下げた場合は、本来吊り下げるべき給食袋等を吊り下げる空間が少なくなってしまうという問題点も考えられる。
【０００６】
そのため、本出願人は過去において、中空のパイプ材を介して肩ベルトに環体を装着し、この環体に防犯ブザー、キーホルダー、マスコット等を吊り下げる方法を提案しており、これにより、防犯ブザー、キーホルダー、マスコットを容易に肩ベルトに掛止可能とした。
【特許文献１】特開平１１−７５９２４号公報
【特許文献２】実開平１−１２６１１０号公報
【特許文献３】登録第３０４８８０１号実用新案公報
【特許文献４】登録第３１０５２１８号実用新案公報
【特許文献５】登録第３１１４３８６号実用新案公報
【考案の開示】
【考案が解決しようとする課題】
【０００７】
しかしながら、前述の肩ベルトでは、環体を肩ベルトに装着し、この環体に防犯ブザー、キーホルダー、マスコットを吊り下げる形態であるために、環体に係止可能なフック等を備えていないものは係止することができないという問題点があり、例えば、無端状とした紐やチェーン等を吊り下げることはできず、そのために、紐によって首から吊るしている防犯ブザー等を肩ベルトに吊り下げようとする場合にはそれを行うことができない。
【０００８】
また、ランドセルの肩ベルトにワンポイントのアクセサリーとしてマスコット、キーホルダー等を係止したいと考える場合において、マスコット、キーホルダー等にフック等が備えられている場合には格別、そうでない場合には吊り下げることができない、という問題点も考えられる。
【０００９】
そこで、本考案は、フック等の有無に関わらず、様々な物を容易に係止可能とした背負い鞄の肩ベルトを提供することを課題としている。
【課題を解決するための手段】
【００１０】
本考案の背負い鞄の肩ベルトは、表地と、該表地の裏面に貼り合わせた裏地と、前記表地と裏地間の任意の箇所に挿装したスポンジ等のクッション材と、を具備するベルト本体と、該ベルト本体の上端に装着した連結具と、を有する背負い鞄の肩ベルトにおいて、
ベースと該ベースに突設した突起部とを有する係止部材を、前記ベースを前記表地とクッション材間に挿装しつつ前記突起部で前記表地に形成した貫通孔を貫通する形態で、前記ベルト本体に装着した、ことを特徴としている。
【考案の効果】
【００１１】
本考案の背負い鞄の肩ベルトでは、表地とこの表地の裏面に貼り合わせた裏地と前記表地と裏地間の任意の箇所に挿装したスポンジ等のクッション材を具備するベルト本体の上端に連結具を装着してなる背負い鞄の肩ベルトに、ベースとこのベースに突設した突起部とを有する係止部材を、ベースを前記表地とクッション材間に挿装しつつ突起部が表地を貫通する形態で装着し、これにより突起部をベルトより突出させている。
【００１２】
そのため、紐、チェーン等のフックを有していない物の場合でも、紐、チェーン等を突起部に引っ掛けることで肩ベルトに吊り下げることが可能であるとともに、その他にも、突起部に係止可能なものであればいずれのものでも肩ベルトに係止可能である。
【００１３】
従って、本考案の背負い鞄の肩ベルトでは、フック等を備えているもののみならず、様々な物を係止することが可能である。
【考案を実施するための最良の形態】
【００１４】
本考案の背負い鞄の肩ベルトでは、表地と裏地と互いにを貼りあわせるとともに、表地と裏地の間における任意の箇所にスポンジ等のクッション材を挿装して構成されるベルト本体を有しており、このベルト本体の上端には、ベルト本体を鞄に装着するための連結具を装着している。
【００１５】
また、本考案の背負い鞄の肩ベルトでは、係止部材を前記ベルト本体に装着しており、この係止部材は、ベースと、このベースに突設した突起部とを有し、ベースを前記表地とクッション材間に挿装しつつ、前記突起部で前記表地に形成した貫通孔を貫通する形態で、前記ベルト本体に装着されている。
【００１６】
ここで、係止部材における突起部が挿装可能な挿装孔を有する吊り下げ具を、前記挿装孔に前記突起部を挿装することにより前記係止部材に係止してもよく、これにより、予め吊り下げ具に吊り下げておいた飾り等を容易に肩ベルトに係止することが可能である。
【実施例１】
【００１７】
本考案の背負い鞄の肩ベルト（以下単に「肩ベルト」という。）の実施例について図面を参照して説明すると、図１は本実施例の肩ベルトを示す正面図であり、また図２は図１におけるＡ−Ａ線断面図であり、図において１が本実施例の肩ベルトである。
【００１８】
そして、本実施例の肩ベルト１はベルト本体２を備えており、このベルト本体２は、表地３と、この表地３の裏面に貼り合わせた裏地４と、表地３と裏地４の間における上方部分近傍に挿装したスポンジ等のクッション材５とで構成されている。
【００１９】
そして、前記表地３は、正面視野において幅広にするとともに僅かに変形させた形状の細長としており、約上半分部分を構成する本体部３０１と、この本体部３０１の下端部分に連設された、背負い鞄の下ベルトに連結される連結部３０２とを有している。
【００２０】
また、この表地３の裏面には、表地３とほぼ同一の形状寸法とした裏地４が縫製により縫いつけられており、表地３の本体部３０１において、上端部近傍部分及び下端部近傍部分を除いた部分と、裏地４との間には、スポンジ等のクッション材５が介在されている。
【００２１】
なお、図において１０は、肩ベルト１の上端を背負い鞄に連結させるために用いる連結部である。また、図において３０３は、肩ベルト１を背負い鞄に連結する際に用いるベルト孔であり、更に、図において１２は、表地３と裏地４とを連結しているビスである。
【００２２】
次に、図において７は、前記ベルト本体２に装着した係止部材である。即ち、本実施例の肩ベルトでは、前記ベルト本体２に係止部材７を装着しており、この係止部材７に、紐、チェーン等を介して防犯ブザー等を吊り下げることを可能にしている。
【００２３】
ここで、前記係止部材７について説明すると、図３は、係止部材７の近傍における前記ベルト本体２の断面図であり、また、図４は前記係止部材７の斜視図であり、本実施例において前記係止部材７は、全体を樹脂等の柔軟な素材により形成しており、略四角形上の平板状のベース８と、このベース８に突設した突起部９とを有している。
【００２４】
そして、前記突起部９は、正面形状を矩形状にするとともに、前記表地３の厚みとほぼ同等の厚みとした基端部９０１を有しており、この基端部９０１は、前記ベース８上の中央部分近傍に連設している。
【００２５】
また、この基端部９０１の上方には、略円柱形状とした柱部９０２が連設されており、この柱部９０２の上端には、半球状とした先端部９０３が、湾曲面を上方に向けて連設されている。
【００２６】
そして、このように構成される前記係止部材７は、前記ベース８が前記ベルト本体２における表地３とクッション材５間に挿装され、かつ、前記突起部９が前記表地３を貫通する形態において、前記ベルト本体２に装着されている。
【００２７】
即ち、前記ベルト本体２における表地３には、前記基端部９０１が嵌合可能な略四角形状とした貫通孔３０４が形成されている。
【００２８】
一方、前記係止部材７は、そのベース８が、前記クッション材５を押し潰すような形態において前記表地３とクッション材５間に挿装されており、更に、ベース９０８の挿装に際しては、前記基端部９０１が前記貫通孔３０４に嵌合されるとともに、前記柱部９０２及び先端部９０３が前記貫通孔３０４を貫通する配置としている。
【００２９】
そして、これにより、ベルト本体２における表地３側に、突起部９における柱部９０２及び先端部９０３が突出し、この突出した部分に各種の飾り等を係止可能としている。
【００３０】
このように、本実施例の肩ベルト１では、突起部９をベルト本体２の表地３側に突出させており、この突起部９に紐、チェーン等を係止可能としているため、フックの有無にかかわらず、肩ベルト１に所望するものを係止することが可能である。
【００３１】
またそのとき、本実施例の肩ベルトでは、突起部９をベルト本体２の表地３側に突出させているのみであるため、例えば環体等を肩ベルトに装着した場合と異なり、邪魔になることがない。
【００３２】
更に、左右のベルトに係止部材７を装着し、この左右のベルトに装着した係止部材７における突起部９を、例えば紐、チェーン等で連通するとともに、この突起部９を連通した紐、チェーン等を緊張して左右のベルトを互いに近接する方向に引っ張ることにより、ベルトを、より体にフィットさせ、ランドセルが後方へずり落ちてしまうことを防止することも可能である。
【００３３】
なお、前述の説明では、突起部９が基端部９０１と柱部９０２と先端部９０３で構成される形態を説明したが、突起部９は必ずしもこのような構成にする必要はなく、ベルト本体２における表地３を貫通しつつ表地３より突出する構成であればいずれの構成としてもよい。従って、前記基端部９０１を備えない構成でもよく、更に、前記基端部９０１及び先端部９０３を備えず、前記ベース８に柱部９０２を連設した構成のみでもよい。
【実施例２】
【００３４】
次に、本考案の肩ベルトの他の実施例を説明すると、本実施例の肩ベルト１では、前記係止部材７における突起部９に、吊り下げ具１０を装着した形態としており、これにより、更に、肩ベルトへの様々な物の係止を容易としている。
【００３５】
即ち、図６は前記吊り下げ具１０を示す斜視図であり、本実施例において前記吊り下げ具１０は、全体を樹脂等の軟性素材により構成され、前記突起部９における柱部９０２が挿装可能な挿装孔１００１が形成されている。
【００３６】
そして、この挿装孔１００１に前記突起部９における柱部９０２を挿装することにより、前記係止部材７に吊り下げ具１０を係止することを可能としている。
【００３７】
また、本実施例における前記吊り下げ具１０では、前記挿装孔１００１の周囲には鍔部１００４を形成しており、前記挿装孔１００１に前記突起部９における柱部９０２を挿装しつつ、突起部９における先端部９０３の下面を鍔部１００４上に載置し、これにより吊り下げ具１０が容易には係止部材７より抜け落ちないようにしている。
【００３８】
また、前記挿装孔１００１には、挿装孔１００１よりも大径の挿入孔１００２が形成されており、これにより、突起部９における先端部９０３で挿入孔１００２を貫通させ、更に、突起部９における柱部９０２が前記挿装孔１００１内に嵌り込むようにして吊り下げ具１０を移動させることで、吊り下げ具１０を係止部材７に係止することができる。この、吊り下げ具１０を係止部材７に係止した状態を示す図が図５であり、図５は、ベルト本体２における吊り下げ具１０の近傍を示している。
【００３９】
次に、図５及び図６において１００３は係止孔である。即ち、本実施例における吊り下げ具１０には係止孔１００３が形成されており、この係止孔１００３に、防犯ブザー、マスコット等の所望する物を係止することが可能である。
【００４０】
従って、このように構成される本実施例の肩ベルト１では、前述のようにして吊り下げ具１０を係止部材７に係止することで、前記係止孔１００３を介して、防犯ブザー、マスコット、キーホルダー、その他の飾り等を肩ベルトに吊り下げることができる。
【００４１】
そしてこのとき、予め複数の吊り下げ具１０を用意するとともにそれぞれの吊り下げ具１０に防犯ブザー、マスコット、キーホルダー等を係止しておくことにより、吊り下げ具１０を交換するのみで、肩ベルトに係止するものを変えることができるとともに、吊り下げ具１０の装着に際しては突起部９を挿装孔１００１に挿装するのみでよいので、取り付け及び取り外しが容易であり、これにより、更に、肩ベルトへの様々な物の係止が容易となる。
【００４２】
また、吊り下げ具１０は、その挿装孔１００１に前記突起部９における柱部９０２を挿装することにより前記係止部材７に係止しており、これにより吊り下げ具１０は回動自在であるために、吊り下げ具１０に係止した防犯ブザー、マスコット、キーホルダー等が横方向に引っ張られた場合には、環体を肩ベルトに装着してこの環体に防犯ブザー、キーホルダー、マスコットを吊り下げた場合と異なり、吊り下げ具１０が引っ張られた方向に向いて回動する。そのため、これにより、防犯ブザー、マスコット、キーホルダー等を吊り下げ具１０に係止している紐、チェーン等に加わる負荷を軽減することも可能である。
【００４３】
更に、肩ベルトに防犯ブザー等を吊り下げない場合には吊り下げ具を取り外しておくことにより、突起部９がわずかに肩ベルトより突出するのみであるので、邪魔になることもない。
【００４４】
なお、本実施例では、前記係止部材７に吊り下げ具１０を係止した点を特徴としており、その他の構成は前述の実施例１と同様であるので、重複した説明は省略する。
【００４５】
また、図５及び図６に示す吊り下げ具１０では、挿入孔１００２及び係止孔１００３を備え、更に、前記挿装孔１００１の周囲に鍔部１００４を形成した形態としたが、この挿入孔１００２、係止孔１００３及び鍔部１００４は必ずしも必要なものではなく、これを備えない形態としても良い。
【００４６】
例えば、図７及び図８は、吊り下げ具の他の形態を説明するための図であり、図８は吊り下げ具１１の斜視図であり、また図７はベルト本体２における吊り下げ具近傍を示す斜視図である。
【００４７】
そして、図７及び図８に示す吊り下げ具１１では、全体を花びらの形状にするとともに、その中央部に挿装孔１１０１を形成して構成されており、挿装孔１１０１に突起部における柱部９０２を挿装することのみで、吊り下げ具１１自体をワンポイントのアクセサリーにすることを可能にしている。従って、様々な形状の吊り下げ具１１を用意しておくことにより、好みによって、極めて容易に、異なったアクセサリーで肩ベルトを飾ることを可能となるとともに、このときに、吊り下げ具１０に反射テープ等の反射材を備えることにより、反射材の作用により、事故等を未然に防止することも可能である。
【００４８】
このように、本実施例の肩ベルトでは、係止部材７に吊り下げ具１０、１１を係止しているために、吊り下げ具１０、１１を交換するのみで、肩ベルト１に吊り下げる物を交換することができるとともに、吊り下げ具１０の装着に際しては突起部９を挿装孔１００１に挿装するのみでよいので、吊り下げ具の取り付け及び取り外しが極めて容易である。
【００４９】
また、吊り下げ具１０の装着に際しては、その挿装孔１００１に前記突起部９における柱部９０２を挿装することにより前記係止部材７に係止し、これにより、防犯ブザー等が横方向に引っ張られた場合に吊り下げ具１０が引っ張られた方向に回動自在としているため、防犯ブザー等を吊り下げ具１０に係止している紐、チェーン等に加わる負荷を軽減することも可能である。
【００５０】
更に、花びら等の様々な形状の吊り下げ具を用いることで、吊り下げ具を交換することのみで、肩ベルトをワンポイントのアクセサリーで飾ることも可能であるとともに、このとき、吊り下げ具に反射材等を備えることにより事故等を防止することも可能である。
【産業上の利用可能性】
【００５１】
本考案では、ベルト本体に突起部を突出させ、この突起部に各種の物を係止可能としているため、背負い鞄に用いる肩ベルト全般に適用可能である。
【図面の簡単な説明】
【００５２】
【図１】本考案の肩ベルトの実施例を示す正面図である。
【図２】図１におけるＡ−Ａ線断面図である。
【図３】本考案の肩ベルトの実施例における係止部材を説明するための断面図である。
【図４】本考案の肩ベルトの実施例における係止部材を説明するための斜視図である。
【図５】本考案の肩ベルトの実施例における吊り下げ具を説明するための図である。
【図６】本考案の肩ベルトの実施例における吊り下げ具の斜視図である。
【図７】本考案の肩ベルトの実施例における吊り下げ具の他の形態を説明するための図である。
【図８】本考案の肩ベルトの実施例における吊り下げ具の他の形態の斜視図である。
【符号の説明】
【００５３】
１    肩ベルト
２    ベルト本体
３    表地
３０１    表地の本体部
３０２    表地の連結部
３０３    ベルト孔
３０４    貫通孔
４    裏地
５    クッション材
６    パイプ材
７    係止部材
８    ベース
８０１    ベース本体
８０２    連設ベース
９    突起部
９０１    基端部
９０２    柱部
９０３    先端部
１０、１１    吊り下げ具
１００１、１１０１    挿装孔
１００２    挿入孔
１００３    係止孔
１００４    鍔部
１２    ビス
【図１】
0003125119.tif 000003
【図２】
0003125119.tif 000004
【図３】
0003125119.tif 000005
【図４】
0003125119.tif 000006
【図５】
0003125119.tif 000007
【図６】
0003125119.tif 000008
【図７】
0003125119.tif 000009
【図８】
0003125119.tif 000010